(57)【要約】【課題】不揮発メモリに保存した指針値データから常に正しく最大の指針値を取得することを目的とする。【解決手段】流量検出部１と、流量値算出部２と、指針値表示部４と、対指針値保持部５と、指針値判定部３とを備え、リセットが掛かった場合の起動時に指針値判定部３で判別した保存最新指針値Ｄを指針値Ｂとして指針値表示部４で表示するので、電池消耗による不揮発メモリへの指針値データの欠損が発生しても常に正しく最大の指針値を取得できることとなる。【選択図】図１
2006132890.tif 000002
【特許請求の範囲】
【請求項１】
ガス通路内を通過するガス流量に対応して流量信号を出力する流量検出部と、前記流量検出部の流量信号を受け取ると指針値を算出して出力するか、ガス遮断装置にリセットが掛かった場合の起動時に指針値判定部の保存最新指針値を取得して前記指針値として出力する流量値算出部と、前記流量値算出部の指針値を受け取ると表示する指針値表示部と、前記流量値算出部の指針値を受け取ると不揮発メモリ内へ二組の対になった対保存指針値として交互に保持する対指針値保持部と、電源としての電池とを具備し、前記指針値判定部は、ガス遮断装置にリセットが掛かった場合に、対指針値保持部が保持している対保存指針値から二組の対同士が合致した場合は指針値の大きい方を、一組の対同士が合致した場合は合致した方の指針値を保存最新指針値として出力するようにしたガス遮断装置。
【請求項２】
ガス通路内を通過するガス流量に対応して流量信号を出力する流量検出部と、前記流量検出部の流量信号を受け取ると指針値を算出して出力するか、ガス遮断装置にリセットが掛かった場合の起動時に差分値判定部の保存最新指針値を取得して前記指針値として出力する流量値算出部と、前記流量値算出部の指針値を受け取ると表示する指針値表示部と、前記流量値算出部の指針値を受け取ると不揮発メモリ内へ二組の保存指針値として、さらに連番となった保持回数を保持する差指針値保持部と、前記流量値算出部の指針値を受け取ると不揮発メモリ内へ二組の対になった指針値の差分を対差分値としてさらに連番となった対の前記保持回数を交互に保持する差分値保持部と、電源としての電池とを具備し、前記差分値判定部は、ガス遮断装置にリセットが掛かった場合に、前記差分値保持部の対差分値と保持回数を取得し、二組の対差分値と保持回数の対同士が合致した場合は差指針値保持部が保持している大きい方の前記保持回数とペアになった保存指針値を取得して保存最新指針値として出力し、一組の前記対差分値と保持回数の対同士が合致し、かつ他方の対になった前記対差分値のみが合致している場合は前記差指針値保持部が保持している小さい方の前記保持回数と対になった保存指針値を取得して他方の対差分値を加算して前記保存最新指針値として出力し、一組の対差分値と保持回数の対同士のみが合致した場合は差指針値保持部が保持している小さい方の保持回数と対になった保存指針値を取得して保存最新指針値として出力するようにしたガス遮断装置。
【請求項３】
ガス通路内を通過するガス流量に対応して流量信号を出力する流量検出部と、前記流量検出部の流量信号を受け取ると指針値を算出して出力するか、ガス遮断装置にリセットが掛かった場合の起動時に最大指針値判定部の保存最新指針値を取得して指針値として出力する流量値算出部と、前記流量値算出部の指針値を受け取ると表示する指針値表示部と、前記流量値算出部の指針値を受け取ると不揮発メモリ内へ複数保存指針値と指針値の差分を複数差分値として対にして保持する複数値保持部と、電源としての電池とを具備し、前記最大指針値判定部は、ガス遮断装置にリセットが掛かった場合に前記複数値保持部が保持している複数保存指針値と複数差分値を取得して複数保存指針値の最大値から順に対になった複数保存指針値から複数差分値を引いた前回予測値と同値の複数保存指針値が他の対にあるかを判別して、同値があれば前回予測値を算出するのに使用した複数保存指針値を保存最新指針値として出力し、同値がなければ次ぎに大きな複数保存指針値の対から前記前回予測値を再び算出して判定を繰り返すようにしたガス遮断装置。
【請求項４】
流量値算出部の指針値を受け取ると不揮発メモリ内へ二組の対となった対保存指針値として交互に保持し、保持信号を出力するようにした対指針値保持部と、ガス遮断装置にリセットが掛かったとき、前記対指針値保持部が保持している対保存指針値から二組の対同士が合致した場合は指針値の大きい方を、一組の対同士が合致した場合は合致した方の指針値を保存最新指針値として出力し、どちらの指針値を保存最新指針値としたかを識別するための識別信号を出力するようにした指針値判定部と、前記対保存指針値とペアにして保持すべきペアデータを収集するペアデータ収集部と、前記ペアデータ収集部が収集したペアデータを取得して前記指針値判定部の識別信号を受け取るとペアデータ保持部から識別信号とペアになる保存ペアデータを取得して、ペアデータとして出力するペアデータ管理部と、電話回線やインターネットを介して外部からの前記ペアデータの要求を受けると前記ペアデータ管理部の前記ペアデータを取得して通信する外部通信部とを具備し、ペアデータ保持部は、対指針値保持部の保持信号を受け取ると前記ペアデータ管理部のペアデータを取得し、不揮発メモリ内へ二組の前記保存ペアデータとして保持するようにしたガス遮断装置。
【発明の詳細な説明】
【技術分野】
【０００１】
本発明はガス流量を検出しガス使用量を算出して、そのガス使用量を保持するガス遮断装置に関するものである。
【背景技術】
【０００２】
図５は、従来のガス遮断装置を示すもので、ガス通路内を通過するガス流量に対応して流量信号ａを出力する流量検出部３１と、この流量信号ａを受け取ると指針値ｂを算出して出力するか、ガス遮断装置にリセットが掛かった場合の起動時に指針値保持部３２の保存最新指針値ｄを取得し、前記指針値ｂとして出力する流量値算出部３３と、前記流量値算出部３３からの指針値ｂを受け取ると、それを表示する指針値表示部３４と、電源として電池とから構成されている（例えば、特許文献１参照）。
【特許文献１】特開２００１−６５８６４号公報
【発明の開示】
【発明が解決しようとする課題】
【０００３】
しかしながら、前記従来の構成では、指針値保持部３２で指針値を保持している最中に電源である電池が消耗し、正確な指針値が不揮発メモリに保持さなかった場合においても、ガス遮断装置にリセットが掛かると指針値保持部３２が保持しているデータを表示してしまう。
【０００４】
即ち、新しい指針値の書込み途中であったために、前回保持していた指針値と今回書込もうとした指針値とが合成されものがあたかも正常な指針値として表示されたり、或いは指針値として認識できないデータになり、表示できないという課題を有していた。
【０００５】
本発明は、前記従来の課題を解決するもので、指針値保持部で指針値を保持している最中に電源である電池が消耗し正確な指針値が不揮発メモリに保持されずにガス遮断装置にリセットが掛かても信頼できる指針値を自動的に判別し表示することが可能となるガス遮断装置を提供することを目的とする。
【課題を解決するための手段】
【０００６】
前記従来の課題を解決するために、本発明のガス遮断装置は、対指針値保持部が保持している二組の対になった対保存指針値を指針値判定部で有効で、かつ最大の保存最新指針値を判別するようにしたものである。
【０００７】
これによって指針値を保持している最中に電源である電池が消耗し正確な指針値が不揮発メモリに保持されなくても前回保持された正しい指針値を最新値として表示させることができる。
【発明の効果】
【０００８】
本発明のガス遮断装置は指針値を保持している最中に電源である電池が消耗し正確な指針値が不揮発メモリに保持されなくても前回保持された正しい指針値を最新値として表示させることができ、ガス事業者の指針値消滅によるリスクを回避することができる。
【発明を実施するための最良の形態】
【０００９】
第１の発明は、ガス通路内を通過するガス流量に対応して流量信号を出力する流量検出部と、前記流量検出部の前記流量信号を受け取ると指針値を算出して出力するかガス遮断装置にリセットが掛かった場合の起動時に指針値判定部の保存最新指針値を取得し前記指針値として出力する流量値算出部と、前記流量値算出部の前記指針値を受け取ると表示する指針値表示部と、前記流量値算出部の前記指針値を受け取ると不揮発メモリ内へ二組の対になった対保存指針値として交互に保持する対指針値保持部と、ガス遮断装置にリセットが掛かった場合に前記対指針値保持部が保持している前記対保存指針値から二組の対同士が合致した場合は指針値の大きい方を一組の対同士が合致した場合は合致した方の指針値を前記保存最新指針値として出力する前記指針値判定部と、電源として電池を備えることにより、前記指針値を保持している最中に電源である前記電池が消耗し正確な前記指針値が前記不揮発メモリに保持されなくても前回保持された正しい前記指針値を最新値として表示させることができる。
【００１０】
第２の発明は、ガス通路内を通過するガス流量に対応して流量信号を出力する流量検出部と、前記流量検出部の前記流量信号を受け取ると指針値を算出して出力するかガス遮断装置にリセットが掛かった場合の起動時に差分値判定部の保存最新指針値を取得し前記指針値として出力する流量値算出部と、前記流量値算出部の前記指針値を受け取ると表示する指針値表示部と、前記流量値算出部の前記指針値を受け取ると不揮発メモリ内へ二組の保存指針値としてさらに連番となった保持回数を保持する差指針値保持部と、前記流量値算出部の前記指針値を受け取ると不揮発メモリ内へ二組の対になった指針値の差分を対差分値としてさらに連番となった対の前記保持回数を交互に保持する差分値保持部と、ガス遮断装置にリセットが掛かった場合に前記差分値保持部の前記対差分値と前記保持回数を取得し二組の前記対差分値と前記保持回数の対同士が合致した場合は前記差指針値保持部が保持している大きい方の前記保持回数とペアになった前記保存指針値を取得して前記保存最新指針値として出力し、一組の前記対差分値と前記保持回数の対同士が合致しかつ他方の対になった前記対差分値のみが合致している場合は前記差指針値保持部が保持している小さい方の前記保持回数と対になった前記保存指針値を取得して他方の前記対差分値を加算して前記保存最新指針値として出力し、一組の前記対差分値と前記保持回数の対同士のみが合致した場合は前記差指針値保持部が保持している小さい方の前記保持回数と対になった前記保存指針値を取得して前記保存最新指針値として出力する前記差分値判定部と、電源として電池を備えることにより、前記指針値を保持している最中に電源である前記電池が消耗し正確な前記指針値が前記不揮発メモリに保存されなくても前回保存された正しい前記指針値を最新値として、あるいは今回保持しようとした前記対差分値が正確な値として判別できるならば前回保持された正しい前記指針値に前記対差分値を加算することで欠損してしまった今回保持しようとした前記指針値を再現し表示させることができる。
【００１１】
第３の発明は、ガス通路内を通過するガス流量に対応して流量信号を出力する流量検出部と、前記流量検出部の前記流量信号を受け取ると指針値を算出して出力するかガス遮断装置にリセットが掛かった場合の起動時に最大指針値判定部の保存最新指針値を取得し前記指針値として出力する流量値算出部と、前記流量値算出部の前記指針値を受け取ると表示する指針値表示部と、前記流量値算出部の前記指針値を受け取ると不揮発メモリ内へ複数保存指針値と指針値の差分を複数差分値として対にして保持する複数値保持部と、ガス遮断装置にリセットが掛かった場合に前記複数値保持部が保持している前記複数保存指針値と前記複数差分値を取得して前記複数保存指針値の最大値から順に対になった前記複数保存指針値から前記複数差分値を引いた前回予測値と同値の前記複数保存指針値が他の対にあるかを判別し同値があれば前記前回予測値を算出するのに使用した前記複数保存指針値を前記保存最新指針値として出力し、同値がなければ次ぎに大きな前記複数保存指針値の対から前記前回予測値を再び算出して判定を繰り返す前記最大指針値判定部と、電源として電池を備えることにより、前記指針値を保持している最中に電源である前記電池が消耗し正確な前記指針値が前記不揮発メモリに保持されなくても前回保持された正しい前記指針値を最新値として表示させることができる。また前記不揮発メモリの破損等により前記指針値等を保持するメモリ領域が破損した場合においても常に有効な前記指針値を前記不揮発メモリから取得することができる。
【００１２】
第４の発明は、特に、第１の発明の対指針値保持部を、流量値算出部の指針値を受け取ると不揮発メモリ内へ二組の対となった対保存指針値として交互に保持し保持信号を出力するようにした前記対指針値保持部と、第１の発明の指針値判定部を、ガス遮断装置にリセットが掛かった場合に前記対指針値保持部が保持している前記対保存指針値から二組の対同士が合致した場合は指針値の大きい方を一組の対同士が合致した場合は合致した方の指針値を保存最新指針値として出力しどちらの指針値を前記保存最新指針値としたかを識別するための識別信号を出力するようにした前記指針値判定部と、前記対保存指針値とペアにして保持すべきペアデータを収集するペアデータ収集部と、前記ペアデータ収集部が収集した前記ペアデータを取得して前記指針値判定部の前記識別信号を受け取るとペアデータ保持部から前記識別信号とペアになる保存ペアデータを取得して前記ペアデータとして出力するペアデータ管理部と、前記指針値保持部の前記保持信号を受け取ると前記ペアデータ管理部の前記ペアデータを取得し不揮発メモリ内へ二組の前記保存ペアデータとして保持する前記ペアデータ保持部と、電話回線やインターネットを介して外部からの前記ペアデータの要求を受けると前記ペアデータ管理部の前記ペアデータを取得して通信する外部通信部とを備えることにより、前記指針値を保持している最中に電源である前記電池が消耗し正確な前記指針値が前記不揮発メモリに保持されなくても前回保持された正しい前記指針値を最新値として表示させることができる。また前記指針値とペアにしたペアデータを最新のペアデータとして前記不揮発メモリから取得することができる。
【００１３】
以下、本発明の実施の形態について、図面を参照しながら説明する。なお、この実施の形態によって本発明が限定されるものではない。
【００１４】
（実施の形態１）
図１において、流量検出部１はガス通路内を通過するガス流量（例えば、ガス遮断装置内に設置されている永久磁石がガス通路内を通過する流量の一定量毎に１回転分の円運動を行い、その円運動の軌跡上にリードスイッチを配置してガス流量を検知したり、あるいはガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても同様の効果が得られる）に対応して流量信号Ａを出力する。
【００１５】
流量値算出部２は、流量検出部１の流量信号Ａを受け取ると指針値Ｂ（例えば、流量信号Ａを累積したもの。例えばガス遮断装置では１Ｌ単位で９桁持っている）を算出して出力するか、ガス遮断装置にリセットが掛かった場合の起動時（例えば、電池消耗後に新しい電池をつないだとき）に指針値判定部３の保存最新指針値Ｄを取得し、指針値Ｂとして出力する。
【００１６】
指針値表示部４は流量値算出部２の指針値Ｂを受け取ると表示（例えば、ＬＣＤにより表示）する。
【００１７】
対指針値保持部５は流量値算出部２の指針値Ｂを受け取ると不揮発メモリ内へ二組の対（例えば前回保持値のＣ１１とＣ１２の対と今回保持値のＣ２１とＣ２２）になった対保存指針値Ｃ１１〜Ｃ２２として交互（例えば、書込み回数が奇数回目はＣ１１とＣ１２へ、偶数回目はＣ２１とＣ２２に指針値Ｂを保存する）に保持（例えば、指針値を不揮発メモリに保存すると、必ず保持した指針値を読み出しマイコンの値と比較することで精度を向上させることができる。
【００１８】
また指針値を保持するタイミングは指針値が一定量以上増加したときでもよく、また任意の一定期間毎でもよく、あるいは任意の時刻でもよい）する。
【００１９】
指針値判定部３はガス遮断装置にリセットが掛かった場合に対指針値保持部５が保持している対保存指針値Ｃ１１〜Ｃ２２から二組の対同士が合致した場合（即ち、Ｃ１１＝Ｃ１２、Ｃ２１＝Ｃ２２の場合）は値の大きい方（即ちＣ１１とＣ２１の大きい方。ガス遮断装置が保持している指針値Ｂはユーザがガスの消費するとともに増加していく。従って、大きいほうが最新の指針値Ｂとなる。）を一組の対同士が合致した場合は合致した方の値（即ち、Ｃ１１≠Ｃ１２またはＣ２１≠Ｃ２２となるのは電池が消耗し今回保持しようとした指針値が不揮発メモリに保持されなくなった方である。従ってもう一対の指針値は電池が消耗する直前に保持されたものであるから必ず等しくなる）を保存最新指針値Ｄとして出力する。
【００２０】
以上のように構成されたガス遮断装置について、以下その動作、作用を説明する。
【００２１】
まず、不揮発メモリの対同士の指針値を比較することにより正確に保存された指針値（例えば、毎午前０時に指針値を不揮発メモリに保持するようにすれば、最大１日分のズレとなる）であることの確証（指針値の数値９桁が電池消耗により保持したい指針値と異なる値となって、その対が等しくなる確率は１億分の１の確率であり、かつ保持したデータが数値以外のデータになる場合を含めるとさらに確率が下がるため）を得ることができる。
【００２２】
以上のように、本実施の形態においては指針値判定部３で対指針値保持部５が保持している対保存指針値Ｃ１１〜Ｃ２２から保存最新指針値Ｄを抽出して、指針値表示部４で指針値Ｂを表示することができる。
【００２３】
（実施の形態２）
図２に示すように流量検出部１はガス通路内を通過するガス流量に対応して流量信号Ａを出力する。
【００２４】
流量値算出部２は流量検出部１の流量信号Ａを受け取ると指針値Ｂを算出して出力するか、ガス遮断装置にリセットが掛かった場合の起動時に差分値判定部６の保存最新指針値Ｄを取得し指針値Ｂとして出力する。
【００２５】
指針値表示部４は流量値算出部２の指針値Ｂを受け取ると表示する。
【００２６】
差指針値保持部７は流量値算出部２の指針値Ｂを受け取ると不揮発メモリ内へ二組の保存指針値Ｅ１・Ｅ２としてさらに連番となった保持回数Ｆ１・Ｆ２（Ｆ１はＥ１とＦ２はＥ２と同期がとれているものとする）を保持する。
【００２７】
差分値保持部７は流量値算出部２の指針値Ｂを受け取ると不揮発メモリ内へ二組の対になった指針値の差分（前回差分を不揮発メモリ内に保持したときの指針値Ｂと今回流量値算出部２から送られてきた指針値Ｂとの差分。Ｆ３１とＦ３２、Ｆ４１とＦ４２が対となる）を対差分値Ｆ３１〜Ｆ４２としてさらに連番となった対の保持回数Ｆ１１〜Ｆ２２（Ｆ１１とＦ１２、Ｆ２１とＦ２２が対となり、Ｆ１１はＦ３１とＦ２１はＦ４１と同期がとれているものとする。また保持回数は差指針値保持部１６で不揮発メモリ内に保存したときと差分値保持部１７で不揮発メモリ内に保存したときとで、その回数は同期が取れているものとする）を交互に保持する。
【００２８】
差分値判定部６は、ガス遮断装置にリセットが掛かった場合に、差分値保持部７の対差分値Ｆ３１〜Ｆ４２と保持回数Ｆ１１〜Ｆ２２を取得し、二組の対差分値（即ちＦ３１＝Ｆ３２、Ｆ４１＝Ｆ４２）と保持回数の対同士（即ちＦ１１＝Ｆ１２、Ｆ２１＝Ｆ２２）が合致した場合は差指針値保持部８が保持している大きい方の保持回数（Ｆ１またはＦ２）とペア（同期のとれている）になった保存指針値（Ｅ１またはＥ２）を取得して保存最新指針値Ｄとして出力する。
【００２９】
一組の対差分値（Ｆ３１＝Ｆ３２またはＦ４１＝Ｆ４２）と保持回数の対同士（Ｆ１１＝Ｆ１２またはＦ２１＝Ｆ２２）が合致（例えば、ここで言う合致とはＦ３１＝Ｆ３２でかつＦ１１＝Ｆ１２の場合である。従って同期が取れていないＦ３１＝Ｆ３２とＦ２１＝Ｆ２２が等しくても合致とはならない）し、かつ他方の対になった対差分値のみが合致（例えば、ここで言う合致とはＦ３１＝Ｆ３２でかつＦ１１＝Ｆ１２の時にＦ４１＝Ｆ４２となった場合をいう）している場合は差指針値保持部８が保持している小さい方の保持回数（例えば、Ｆ１１＝Ｆ１２のときはＦ１）と対になった（同期している）保存指針値（例えば、Ｆ１１＝Ｆ１２のときはＥ１）を取得して他方の対差分値（例えば、Ｆ１１＝Ｆ１２のときはＦ４１）を加算（即ち正確でない可能性のあるＥ２ではなく、前回保持した正確な指針値と今回保持した正確な差分値を加算することで今回保持しようとした指針値を算出して最新値とすることができる）して保存最新指針値Ｄとして出力する。
【００３０】
一組の対差分値（Ｆ３１＝Ｆ３２またはＦ４１＝Ｆ４２）と保持回数（Ｆ１１＝Ｆ１２またはＦ２１＝Ｆ２２）の対同士のみが合致（例えば、ここで言う合致とはＦ３１＝Ｆ３２でかつＦ１１＝Ｆ１２の場合である。従って同期が取れていないＦ３１＝Ｆ３２とＦ２１＝Ｆ２２が等しくても合致とはならない）した場合は差指針値保持部８が保持している小さい方の保持回数（Ｆ１またはＦ２）と対になった（同期している）保存指針値（Ｅ１またはＥ２）を取得して保存最新指針値Ｄとして出力する。
【００３１】
以上のように構成されたガス遮断装置について、以下その動作、作用を説明する。
【００３２】
不揮発メモリに保持された正確なデータを寄せ集めて判断することにより、今回保持しようとした指針値を算出して再現することができる。
【００３３】
（実施の形態３）
図３に示すように、流量検出部１はガス通路内を通過するガス流量に対応して流量信号を出力する。
【００３４】
流量値算出部２は流量検出部１の流量信号Ａを受け取ると指針値Ｂを算出して出力するか、ガス遮断装置にリセットが掛かった場合の起動時に最大指針値判定部９の保存最新指針値Ｄを取得し指針値Ｂとして出力する。
【００３５】
指針値表示部３は流量算出部１の指針値Ｂを受け取ると表示する。
【００３６】
複数値保持部１０は流量値算出部２の指針値Ｂを受け取ると不揮発メモリ内へ複数保存指針値Ｇ１１〜Ｇ１ｎと指針値の差分を複数差分値Ｇ２１〜Ｇ２ｎとして対にして（例えばＧ１１とＧ２１は同期がとれているものとする）保持する。
【００３７】
最大指針値判定部９はガス遮断装置にリセットが掛かった場合に複数値保持部１０が保持している複数保存指針値Ｇ１１〜Ｇ１ｎと複数差分値Ｇ２１〜Ｇ２ｎを取得して複数保存指針値（例えばＧ１ｍ）の最大値から順に対になった複数保存指針値（例えばＧ１ｍ）から複数差分値（Ｇ２ｍ）を引いた前回予測値と同値の複数保存指針値（Ｇｍを除くＧ１１〜Ｇ１ｎ）が他の対にあるかを判別し同値（例えば、Ｇ１（ｍ−１）＝Ｇ１ｍ−Ｇ２ｍであればＧ１ｍは正確な指針値として増加してきたものと判断することができる）があれば前回予測値を算出するのに使用した複数保存指針値（Ｇ１ｍ）を保存最新指針値Ｄとして出力し、同値がなければ（即ちＧ１ｍは最大値であるが電池消耗により異常な値として保持されてしまったためであると判断できる）次ぎに大きな複数保存指針値Ｇ１１〜Ｇ１ｎの対から前回予測値を再び算出して判定を繰り返す。
【００３８】
以上のように構成されたガス遮断装置について、以下その動作、作用を説明する。
【００３９】
図３に示すようロジック構成であれば不揮発メモリのデータ保持領域の一部が損傷して書込み不能（図１や図２のロジックでは決められた領域が損傷した場合、不揮発メモリへの書込みを禁止しなければ正確な指針値を取得できない可能性を僅かながら秘めていた。この場合別途領域を拡大して拡大した領域が使用されているかいなか、或いは初期領域をあり得ないデータを保持させることで判断をすれば、期待した指針値を取得することが出来きる）となってもデータ保持領域全体を検索することにより最大かつ確かな指針値を取得することができる。
【００４０】
また、複数のデータ保持領域が確保できる為、今回保持したいデータ保持領域が不揮発メモリの損傷部分と重なっても、本実施の形態（途中まで保持できたものは正規でないデータとして排除できるため）により次のデータ保持領域に保持させても正しい指針値を取得することが可能となる。
【００４１】
（実施の形態４）
図４に示すように対指針値保持部５を、流量値算出部２の指針値Ｂを受け取ると不揮発メモリ内へ二組の対となった対保存指針値Ｃ１１〜Ｃ２２として交互に保持し保持信号Ｊを出力する。
【００４２】
指針値判定部３を、ガス遮断装置にリセットが掛かった場合に対指針値保持部５が保持している対保存指針値Ｃ１１〜Ｃ２２から二組の対同士が合致した場合は指針値の大きい方を一組の対同士が合致した場合は合致した方の指針値を保存最新指針値Ｄとして出力しどちらの指針値を保存最新指針値Ｄとしたかを識別するための識別信号Ｌを出力する。
【００４３】
ペアデータ収集部１１は対指針値保持部５とペア（同期して）にして保持すべきペアデータＨ（例えば、一定期間毎に使用されたガス使用量）を収集する。
【００４４】
ペアデータ管理部１２はペアデータ収集部１１が収集したペアデータＨを取得し、指針値判定部３の識別信号Ｌを受け取るとペアデータ保持部１３から識別信号Ｌとペアになる保存ペアデータＫ（例えば二組の保存ペアデータＫが合致のみとし、二組の保存ペアデータＫが合致しない場合は不適合データとして処理しない）を取得してペアデータＨとして出力する。
【００４５】
ペアデータ保持部１３は対指針値保持部５の保持信号Ｊを受け取るとペアデータ管理部１２のペアデータＨを取得し不揮発メモリ内へ二組の保存ペアデータＫとして保持する。
【００４６】
外部通信部１４は電話回線やインターネット（有線や無線を使用した通信システムでも同様の効果が得られる）を介して外部（例えば、ガス遮断装置を監視しているセンタ）からのペアデータＨの要求を受けるとペアデータ管理部１２のペアデータＨを取得して通信する。
【００４７】
以上のように構成されたガス遮断装置について、以下その動作、作用を説明する。
【００４８】
不揮発メモリの使用量を低減（不揮発メモリの書込みにより電源である電池の消耗も低減させることができる）させながら正確なペアデータを不揮発メモリから取得することができる。このため同じ容量の電池であればより大量の信頼できるデータを不揮発メモリから取得できるか、あるいはデータ量が同じであればより容量の小さい電池を使用することが可能となりガス遮断装置の小型化が図れる。
【産業上の利用可能性】
【００４９】
以上のように、本発明にかかる電源を電池で駆動する装置で指針値のように使用者が消費することによって刻々とより大きな値に変化し不揮発メモリにその値を保持するようなものであれば、少なくとも前回保存した値を最新の信用できる値として取得することが可能となるので、水道メータ等の用途にも適用できる。
【図面の簡単な説明】
【００５０】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】従来のガス遮断装置の機能ブロック図
【符号の説明】
【００５１】
１  流量検出部
２  流量値算出部
３  指針値判定部
４  指針値表示部
５  対指針値保持部
６  差分値判定部
７  差分値保持部
８  差指針値保持部
９  最大指針値判定部
１０  複数値保持部
１１  ペアデータ収集部
１２  ペアデータ管理部
１３  ペアデータ保持部
１４  外部通信部
【図１】
2006132890.tif 000003
【図２】
2006132890.tif 000004
【図３】
2006132890.tif 000005
【図４】
2006132890.tif 000006
【図５】
2006132890.tif 000007